(57)【要約】      （修正有）【課題】成形する側の表面部を領域毎に温度調整が可能な成形用スタンパおよび成形装置を提供する。【解決手段】被成形体を成形する側の表面部が凹凸状に形成される基体１９と、この基体に配設される複数の発熱抵抗体６１〜６４とを備えることを特徴とする成形用スタンパ１０Ｃで、成形用スタンパ１０Ｃは、基体１９の主面部が被成形体を成形するために凹凸状に形成され、その基体１９には、４つの発熱抵抗体６１〜６４が配設されている。当該成形装置は、該成形用スタンパを被成形体に押圧する押圧手段と、該発熱抵抗体に電力を供給する電力供給手段と、該成形用スタンパの温度を検出する温度検出手段と、該温度検出手段によって検出された温度に応じて該各発熱抵抗体に供給する供給電力を個別に制御する電力制御手段とを備えている。【選択図】図１
2008062485.tif 000002
【特許請求の範囲】
【請求項１】
被成形体を成形する側の表面部が凹凸状に形成される基体と、
前記基体に配設される複数の発熱抵抗体とを備えることを特徴とする成形用スタンパ。
【請求項２】
前記複数の発熱抵抗体の各々に電気的に接続される複数の給電配線を備えることを特徴とする請求項１に記載の成形用スタンパ。
【請求項３】
前記各発熱抵抗体に供給する供給電力を個別に制御する制御装置によって、前記各発熱抵抗体への供給電力が個別に制御されることを特徴とする請求項１に記載の成形用スタンパ。
【請求項４】
請求項１〜３のいずれか１つに記載の成形用スタンパと、
該成形用スタンパを被成形体に押圧する押圧手段と、
前記発熱抵抗体に電力を供給する電力供給手段と、
前記成形用スタンパの温度を検出する温度検出手段と、
該温度検出手段によって検出された温度に応じて前記各発熱抵抗体に供給する供給電力を個別に制御する電力制御手段とを備えることを特徴とする成形装置。
【発明の詳細な説明】
【技術分野】
【０００１】
本発明は、熱可塑性樹脂などの被成形体を成形するための成形用スタンパおよび前記成形用スタンパを備える成形装置に関する。
【背景技術】
【０００２】
近年、科学およびバイオの技術分野では、化学反応、生化学反応および試料を分析するためのシステムを、より小型化したマイクロ化学システムが研究されている。このマイクロ化学システムは、たとえば従来のシステムに比べて微細に加工されたマイクロ流路内で化学反応を起こさせたり、試料の分析を行う。これによって試料の単位面積当たりの反応面積を増大させ、試料の反応が完了する時間を大幅に削減することができる。またマイクロ流路内を流れる流体の流路の流量を精密に制御することができ、化学反応および試料の分析を効率的に行うことができる。このようなマイクロ化学システムにおける化学反応および試料の分析は、マイクロ流路、マイクロポンプおよびマイクロリアクタが形成されるマイクロ化学チップと呼ばれるチップにおいて行われている。
【０００３】
このような高精度で微細なマイクロ化学チップを民生用に広げるために、マイクロ化学チップの量産が可能な製造装置を開発し、量産に伴うマイクロ化学チップの低コスト化を図っている。量産化するための技術として、たとえばスタンパを用いて、樹脂およびガラスなどの被成形体に数十〜数百μｍの突起などの構造物を転写成形し、マイクロ流路を形成する成形方法が試みられている。
【０００４】
図１８は、従来の技術の成形装置１を示す正面断面図である。成形装置１は、スタンパ２を用いて、ホットエンボス法で被成形体３にマイクロ流路を転写成形するための装置である。成形装置１は、スタンパ２と、スタンパ２を被成形体３に押圧させる押圧手段４と、スタンパ２を加熱する加熱手段５とを有する。加熱手段５は、電圧を印加されると発熱する１本の発熱抵抗体で構成されている。スタンパ２などの型は、その表面部がフォトリソグラフィ技術を用いて所望の形状に加工されているシリコン基板が用いられる。スタンパ２は押圧手段４の基台６に設けられている。被成形体３には、ＰＭＭＡ（ポリメチルメタクリレート）などの感光性樹脂をレジストに用いる場合、ガラスなどが用いられる。
【０００５】
【特許文献１】特開２００４−２８８８４５号公報
【特許文献２】特開２００４−７１５８７号公報
【特許文献３】特開２００４−１６０６４７号公報
【発明の開示】
【発明が解決しようとする課題】
【０００６】
従来の技術の成形装置１を用いたホットエンボス法は、加熱されているスタンパ２を高い圧力で被成形体に押圧することによって行われるので、スタンパ２を加熱する加熱手段５が押圧手段４内、具体的には基台６内に設けられている。基台６内に加熱手段５が設けられているので、押圧手段４を介して放熱される点、および基台６を介してスタンパ２を加熱するという点で熱損失が大きく、スタンパ２を効率よく加熱することができず、熱効率が低い。また熱効率を向上させるために成形装置１を断熱すると、断熱構造が必要となり装置全体が大型化してしまう。またスタンパ２は、被成形体を押圧するので、成形する側の表面部は、領域によって温度が異なる。従来の技術の成形装置１では、加熱手段５が１本の発熱抵抗体によって構成され、発熱抵抗体に印加される電圧を変えるなどして部分的に温度変化を与えることが困難であるので、スタンパ２の表面部の領域毎に温度調整することが困難である。
【０００７】
本発明の目的は、成形する側の表面部の温度を領域毎に調整することが可能な成形用スタンパおよび成形装置を提供することである。
【課題を解決するための手段】
【０００８】
本発明は、被成形体を成形する側の表面部が凹凸状に形成される基体と、
前記基体に配設される複数の発熱抵抗体とを備えることを特徴とする成形用スタンパである。
【０００９】
また本発明は、前記複数の発熱抵抗体の各々に電気的に接続される複数の給電配線を備えることを特徴とする。
【００１０】
また本発明は、前記各発熱抵抗体に供給する供給電力を個別に制御する制御装置によって、前記各発熱抵抗体への供給電力が個別に制御されることを特徴とする。
【００１１】
また本発明は、前記成形用スタンパと、
該成形用スタンパを被成形体に押圧する押圧手段と、
前記発熱抵抗体に電力を供給する電力供給手段と、
前記成形用スタンパの温度を検出する温度検出手段と、
該温度検出手段によって検出された温度に応じて前記各発熱抵抗体に供給する供給電力を個別に制御する電力制御手段とを備えることを特徴とする成形装置である。
【発明の効果】
【００１２】
本発明によれば、被成形体を成形するための基体に複数の発熱抵抗体が配設されている。複数の発熱抵抗体が配設されるので、そのうち一部の発熱抵抗体を発熱させることによって、基体の一部の領域だけを選択的に温度上昇させることができる。これによって基体の領域毎に異なる温度に設定することができる。また基体の一部の領域だけ温度が低下しても、複数の発熱抵抗体のうち一部の発熱抵抗体を発熱させることによって、前記一部の領域の温度を上昇させることができる。これによって基体全体の温度を均一に維持することが可能になる。
【００１３】
本発明によれば、各発熱抵抗体には、給電配線が電気的に接続されている。これによって各発熱抵抗体に個別に電力を供給することができ、各発熱抵抗体を個別に発熱することができる。
【００１４】
本発明によれば、制御装置によって各発熱抵抗体に供給する供給電力を個別に制御することができる。これによって各発熱抵抗体を個別に発熱させることができるので、基体を各領域毎に温度調整することが実現できる。これによって被成形体の形状および温度などに合わせて、基体の温度を領域毎に調整することができる。
【００１５】
本発明によれば、電力供給手段によって発熱抵抗体に電力を供給し、基体の温度を上昇させた状態で、押圧手段によって成形用スタンパを被成形体に押圧することによって、被成形体を成形することができる。
【発明を実施するための最良の形態】
【００１６】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００１７】
図１は、実施の第１の形態の成形用スタンパ１０を含む成形装置１１を示す正面断面図である。図２は、成形用スタンパ１０を示す斜視図である。図３は、図２の切断面線ＩＩＩ−ＩＩＩで切断して見た成形用スタンパ１０を示す断面図である。図４は、図３の切断面線ＩＶ−ＩＶで切断して見た成形用スタンパ１０を示す断面図である。成形装置１１は、成形用スタンパ１０を備え、成形用スタンパ１０を被成形体１２に押圧して、被成形体３の表面部を成形するための型である。本実施の形態では、成形装置１１は、ナノプリント法で被成形体３の表面部に微細構造を成形可能な装置であり、成形用スタンパ１０を被成形体３に押圧することによって前記微細構造、たとえばマイクロ化学チップを形成する装置である。ただし成形装置１１は、ナノインプリント法で成形可能なものに限定されず、成形用スタンパ１０を押圧して被成形体３を成形する装置であればよい。たとえばハンコおよびスタンパのマスタを成形する装置であってもよい。成形装置１１は、ステージ１３と、プレス手段１４と、成形用スタンパ１０と、温度制御手段１５と、筐体１６とを含む。ステージ１３と、プレス手段１４と、成形用スタンパ１０と、温度制御手段１５とは、筐体１６内に配設される。
【００１８】
ステージ１３は、被成形体１２を載置するための台である。ステージ１３は、扁平状の平板であり、たとえばＳＵＳ４０３から成り、被成形体１２を保持する機構を有するとともに、種々の方向（図１のＺ方向およびこれに直交する平面上の方向）に対して移動可能になしており、被成形体１２の位置を精密に制御する事ができる。
【００１９】
押圧手段であるプレス手段１４は、プレス駆動部１７と基台１８とを有する。プレス駆動部１７は、筐体１６に設けられている。プレス駆動部１７は、基台１８が設けられ、基台１８を上下方向Ｚ（以下、「Ｚ方向」という場合がある）に変位駆動するように構成されている。基台１８は、たとえばＳＵＳ４０３から成り、成形用スタンパ１０を装着可能に構成されている。
【００２０】
成形用スタンパ１０は、基体１９と発熱抵抗体２０を含む。基体１９は、セラミック、本実施の形態ではアルミナ（Ａｌ２Ｏ３）から成り、大略的に直方体状に形成され、その主面部２１に凹凸状に形成されている。具体的には、基体１９は、基体本体２２の表面部２３に１または複数の凸状部２４が形成されている。本実施の形態では、基体の厚み方向である第１方向Ａ１（以下、「Ａ１方向」という場合がある）に垂直な第２方向Ａ２（以下、「Ａ２方向」という場合がある）に延びる４つの凸状部２４が等間隔で形成されている。ただし凸状部２４は、このような形状に限定されず、被成形体１２に形成すべき凹部に応じてその形状が変更され、また凸状でなく突起であってもよい。基体１９は、Ａ１方向とＺ方向とが一致するようにプレス手段１４の基台１８に装着されている。基体１９の内部には、発熱抵抗体２０が形成されている。
【００２１】
発熱抵抗体２０は、たとえばタングステンおよびセラミックの混合材料から成る高抵抗の抵抗体であり、電流が流れると発熱する抵抗体である。本実施の形態では、発熱抵抗体２０は、基体１９の第３方向Ａ３（以下、「Ａ３方向」という場合がある）の一端部から他端部に向かって、連続パルス波形状に蛇行するように配設されている。Ａ３方向は、Ａ１方向およびＡ２方向に垂直な方向である。ただし発熱抵抗体２０は、このような形状に配設されるものに限定されない。このようにして配設される発熱抵抗体２０の一端部２０ａおよび他端部２０ｂには、各端部２０ａ，２０ｂから基体１９の側面部２６、具体的には主面部２１に垂直な表面部２６に延びる給電配線２５が形成されている。給電配線である給電配線２５は、導体材料たとえばタングステンメタライズなどから成り、発熱抵抗体２０に電気的に接続され、側面部２６で外方に向かって露出している。具体的には、給電配線２５は、切立ち部２５ａと水平部２５ｂとを有する。切立ち部２５ａは、発熱抵抗体２０の各端部２０ａ，２０ｂからＡ１方向に立ち上がるように形成される、水平部２５ｂは、切立ち部２５ａの端部から基体１９の側面部２６に向かって、本実施の形態ではＡ２方向に延びるように形成され、その端部が前記側面部２６から外方に露出している。
【００２２】
プレス手段１４の基台１８には、導体材料から成る給電配線３８が設けられている。本実施の形態では、給電配線３８は、基台１８の外部に配設されている。給電配線３８は、成形用スタンパ１０の基体１９が基台１８に装着されている状態で、成形用スタンパ１０の各給電配線２５の水平部２５ｂに電気的にそれぞれ接続されている。さらに配線３８は、温度制御手段１５に電気的に接続されている。
【００２３】
温度検出手段であり電力供給手段である温度制御手段１５は、配線３８を介して図示しない電源に電気的に接続されている。温度制御手段１５は、成形用スタンパ１０の温度を検出し、この検出結果に応じて発熱抵抗体２０に印加する電圧を制御し、成形用スタンパ１０の温度を制御する機能を有する。具体的には、温度制御手段１５は、発熱抵抗体２０がタングステンとセラミックとの混合材料から成るので、発熱抵抗体２０のＴＣＲ抵抗温度特性を利用して発熱抵抗体２０の温度を演算し、この演算結果に基いて発熱抵抗体２０に印加する電圧を制御し、成形用スタンパ１０の温度制御を行っている。
【００２４】
またステージ１３は、載置される被成形体１２の成形すべき表面部である加工面部４０が、プレス手段１４が成形用スタンパ１０を駆動する方向、本実施の形態ではＺ方向に垂直になるように、被成形体１２を載置する載置面部が形成されている。
【００２５】
図５Ａ、図５Ｂおよび図５Ｃは、成形用スタンパ１０を形成する手順を示す図である。以下に、このように構成される成形用スタンパ１０の形成方法について説明する。成形用スタンパ１０は、第１〜第３層状体２７，２８，２９を積層し、この積層体３０に大きな圧力を印加しつつ焼結することによって、形成される。本実施の形態では、３つの層状体２７，２８，２９の場合について説明するけれども、複数の層状体を積層して焼結することによって、成形用スタンパ１０を形成してもよい。以下、具体的な成形用スタンパ１０の製造方法について説明する。
【００２６】
まず第１層状体２７を形成する工程について説明する。ポリエチレンテレフタレート（ＰＥＴ）から成るシート３２上に導体ペーストを付着させて発熱抵抗体２０を形成する（図５Ａ（ａ）参照）。具体的には、スクリーン印刷法などによって、シート３２上に導体ペーストを付着させて連続パルス波形状の発熱抵抗体２０を形成する。導体ペーストは、導体材料、有機バインダおよび有機溶剤とが含まれる。たとえば導体材料には、タングステン（Ｗ）が用いられ、有機バインダには、アクリル樹脂、エチルセルロースまたは、メチルセルロースなどが用いられ、有機溶剤には、テルピネオール、ジブチルフタレート（Ｄ．Ｂ．Ｐ．）などが用いられる。ただしこのような材料に限定するものではない。
【００２７】
セラミック粉末、有機バインダおよび溶剤などを混合したセラミックスラリーをシート３２上に塗布して、セラミックグリーンシート（以下、「グリーンシート」という場合がある）３１を形成する（図５Ａ（ｂ）参照）。たとえばセラミック粉末には、Ａｌ２Ｏ３が用いられ、有機バインダには、アクリル樹脂、エチルセルロースまたは、メチルセルロースなどが用いられ、溶剤には、テルピネオール、ジブチルフタレート（Ｄ．Ｂ．Ｐ．）などが用いられる。シート３２にセラミックスラリーを塗布してグリーンシート３１を形成する方法としては、たとえば必要量のセラミックスラリーを供給し、供給部または塗布面を移動することによって一定の厚みの塗布を行うダイコーター法、または一定量のセラミックスラリーを供給し、余分なセラミックススラリーをブレードにより除去し、一定の厚みの塗布を行うドクターブレード法などが用いられる。グリーンシート３１の厚さｄ１は、発熱抵抗体２０の厚みｄ２より厚くなるように形成される。
【００２８】
給電配線２５の切立ち部２５ａを配設するための貫通孔３３を形成する（図５Ａ（ｃ）参照）。貫通孔３３は、グリーンシート３１の厚み方向に貫通し、発熱抵抗体２０の両端部２０ａ，２０ｂが貫通孔３３に露出するように形成される。貫通孔３３は、パンチング加工またはレーザ加工を施すことによって形成される。貫通孔３３を形成後、貫通孔３３には、スクリーン印刷法などによって、給電配線２５の切立ち部２５ａの前駆体である導体ペーストが充填される。このようにしてシート３１上には、第１層状体２７が形成されている（図５Ａ（ｄ）参照）。
【００２９】
次に第２層状体２８を形成する工程について説明する。ＰＥＴから成るシート３４上に有機材料を付着させて有機グリーンシート３５を形成する（図５（ｅ）参照）。具体的には、スクリーン印刷法などによって、シート３２上に有機材料を付着させて、一方向に延びる複数の有機グリーンシート３５を前記一方向に垂直な方向に等間隔あけて形成した後に乾燥硬化させる。有機材料には、アクリル樹脂が用いられ、有機溶剤には、テルピネオール、ジブチルフタレート（Ｄ．Ｂ．Ｐ．）が用いられる。ただしこのような材料に限定するものではない。
【００３０】
セラミック粉末、有機バインダおよび溶剤などを混合したセラミックスラリーをシート３４上に塗布して、グリーンシート３６を形成する。シート３４にセラミックスラリーを塗布してグリーンシート３６を形成する方法としては、たとえば必要量のセラミックスラリーを供給し供給部または塗布面を移動することによって一定の厚みの塗布を行う代コーター法、または一定量のセラミックスラリーを供給し、余分なセラミックススラリーをブレードを用いて除去し、一定の厚みの塗布を行うドクターブレード法などが用いられる。グリーンシート３６の厚さｄ３は、有機グリーンシート３５の厚みｄ４より厚くなるように形成されている。このようにしてシート３４上には、第２層状体２８が形成される（図５Ｂ（ｆ）参照）。
【００３１】
次に第３層状体２９を形成する工程について説明する。ＰＥＴから成るシート３６上に導体ペーストを付着させて給電配線２５の水平部２５ｂを形成する（図５Ｂ（ｇ）参照）。具体的には、スクリーン印刷法などによって、シート３６上に導体ペーストを付着させて一方向に延びる２つの給電配線２５の水平部２５ｂを形成する。さらにセラミックスラリーをシート３６上に塗布してグリーンシート３９を形成する。グリーンシート３９の厚さｄ５は、給電配線２５の水平部２５ｂの厚みｄ６より厚くなるように形成される。さらに水平部２５ｂの外部に露出する端部には、腐食を防止するためにニッケル（Ｎｉ）または金（Ａｕ）のめっきが施され、配線３８と電気的に接続される外部端子が形成される。このようにしてシート３６上には、第３層状体２９が形成される（図５Ｂ（ｈ）参照）。
【００３２】
次に積層体３０を焼結して成形用スタンパ１０を形成する工程について説明する。第１層状体２７と第２層状体２８と第３層状体２９を積層し、積層体３０を構成する。積層体３０を構成するとき、発熱抵抗体２０が積層体３０の内部に形成され、有機グリーンシート３５が外方に露出するように、第１および第２層状体２７，２８を積層し、給電配線２５の各切立ち部２５ａが、各水平部２５ｂに電気的に接続されるように第１層状体２８に第３層状体を積層する。具体的には、第２、第１および第３層状体２８，２７，２９の順で積層され、発熱抵抗体２０が有機グリーンシート３５が形成される表面部と反対側の表面部に臨み、発熱抵抗体２０が形成されている側と反対側の表面部に給電配線２５の水平部２５ｂが臨むように配設される。このようにして形成される積層体３０を、プレス装置３７によって、第１および第２層状体２８，２９が積層される方向に挟持するように押圧する（図５Ｃ（ｉ）参照）。押圧後、積層体３０を焼結する。このとき温度が脱バインダ領域に達すると、有機グリーンシート３５が燃焼し、積層体３０の表面部が凹凸状に形成される。さらに温度が上昇すると、温度が焼結温度領域に達し、積層体３０が焼きしまり、成形用スタンパ１０が形成される（図５Ｃ（ｊ））。このように焼結することよって主面部２１が凹凸状に形成される成形用スタンパ１０を形成することができる。
【００３３】
図６は、成形装置１１を用いて被成形体１２を成形する手順を示す図である。図６には、成形装置１１のうち成形用スタンパ１０だけを図示し、成形用スタンパ１０以外の構成については図示を省略する。以下では、成形装置１１を用いて被成形体１２を成形する成形方法について、図１を参照しつつ説明する。ステージ１３に被成形体１２を載置され、温度制御手段１５によって発熱抵抗体２０に電圧を印加し、成形用スタンパ２０の基体１９を加熱する（図６（ａ）参照）。加熱し予め定められる温度に達すると、プレス手段１４によって成形用スタンパ２０をＺ方向一方に下降させ、成形用スタンパ２０の凸状部２４を被成形体１２の加工面部４０に当接させる。
【００３４】
プレス手段１４によって、成形用スタンパ２０を当接する状態からさらに下降させて、成形用スタンパ１０に被成形体１２を押圧させる。このとき温度制御手段１５は、被成形体１２が成形用スタンパ１０の下降位置に応じて、つまり成形状況に応じて、成形用スタンパ１０の基体１９の温度を制御する。温度制御手段１５は、たとえば成形用スタンパ１０が下降するに従って、基体１９の温度を上昇させるように制御する。さらに成形用スタンパ１０を予め定められる成形位置まで下降させる、たとえば基体本体２２の表面部２３が被成形体１２の加工面部４０に達する位置まで下降させると、プレス手段１４は、成形用スタンパ１０の下降を停止する（図１の２点鎖線および図６（ｂ）参照）。温度制御は発熱抵抗体２０のＴＣＲ特性を利用して行われる。つまり発熱抵抗体の抵抗値を連続的に測定し、抵抗値にあわせて電流値（または電圧値）を適正な値に制御することで温度を制御する。このように成形用スタンパ１０を成形位置まで下降させると、被成形体１２の成形用スタンパ１０の凸状部２４が押圧される部分に凹部４１が形成され、残余部に凸部４２が形成される。このようにして被成形体１２を成形し、成形品が形成される。
【００３５】
その後、プレス手段１４は、成形用スタンパ１０を予め定められる位置、たとえば初期位置まで上昇させる（図６（ｃ）参照）。このとき温度制御手段１５は、発熱抵抗体２０に対する電圧の印加を停止し、発熱抵抗体２０の発熱を停止する。次の被成形体１２を成形するとき、再度、発熱抵抗体２０に電圧を印加して、発熱抵抗体２０を発熱させて、成形用スタンパ１０を下降させて成形を行う。
【００３６】
以下では、このように構成される成形用スタンパ１０および成形装置１１が奏する効果について説明する。本実施の形態の成形用スタンパ１０によれば、基体１９に発熱抵抗体２０が配設されているので、基体１９が直接的に加熱される。基体１９を直接的に加熱するので、基体１９以外の構成、たとえばプレス駆動部１７および基台１８に伝達する熱を抑制でき、熱損失を小さくすることができる。また基体１９を直接的に加熱するので、外部に熱が逃げることを防ぐための断熱手段を設けずとも熱損失が小さい。したがって断熱手段を設ける必要がなく、部品点数を削減でき、構成を簡単化することができる。また基体１９に熱源である発熱抵抗体２０が設けられるので、熱源が被成形体１２に近く、従来の技術の成形装置１よりも小さな電流で基体１９の主面部２１を被成形体１２を成形するために必要な温度に達する。また基体１９を直接的に加熱するので、基台１８などの熱膨張が抑制され、より精密な加工が可能となる。
【００３７】
本実施の形態の成形用スタンパ１０によれば、発熱抵抗体２０が基体１９の内部に配設されるので、発熱抵抗体２０が被成形体１２に直接接触することがない。これによって発熱抵抗体２０の損傷を防止することができ、発熱抵抗体２０が断線して成形用スタンパ１０が使用不能になることを防止できる。さらに発熱抵抗体２０が外部に露出しいていないので、発熱抵抗体２０の腐蝕も防止することができる。このように発熱抵抗体２０を基体１９内部に配設することによって、損傷および腐蝕の点において、発熱抵抗体２０を保護することができる。
【００３８】
本実施の形態の成形装置１１によれば、基体１９がセラミックから成る。これによって発熱抵抗体２０との一体性を高めることができる。また基体１９がセラミックから成るので、耐摩耗性、耐腐蝕性および耐熱性が高く、破損および腐蝕し難く、熱による変形が抑制され、利便性の高い成形用スタンパ１０を実現することができる。これによって、成形用スタンパ１０によって成形が繰返し行われても基体１９が損傷することがなく、また基体１９の加熱および冷却が繰返し行われても、基体１９が熱応力などで破損することがない。またセラミックで成形用スタンパ１０を形成するので、本実施の形態のように成形用スタンパ１０に直接接触させて成形しても基体１９が欠けるなどすることがなく、成形用スタンパ１０を繰返し使用することができる。セラミックで構成することによって、ガラスなど高温で成形しなければならない材料から成る被成形体１２を繰返し成形する場合であっても、繰返し熱応力にも耐え得ることができ、良好なスタンパが形成される。
【００３９】
本実施の形態の成形用スタンパ１０によれば、基体１９と発熱抵抗体２０とが一体的に焼結されているので、被成形体１２を繰返し成形するときの熱応力に起因する基体からの発熱抵抗体の剥離を抑制できる。
【００４０】
本実施の形態の成形装置１１によれば、基体１９の側面部２６から導出される給電配線２５に電力を供給することによって、発熱抵抗体２０に電力が供給され、発熱抵抗体２０が発熱する。これによって基体１９の温度を上昇させることができる。また側面部２６から給電配線２５が導出されるので、プレス手段１４に内部に配線３８を配設する必要がなく、プレス手段１４の加工が容易になる。
【００４１】
本実施の形態の成形用スタンパ１０によれば、温度制御手段１５によって発熱抵抗体２０に電力を供給し、基体１９の温度を上昇させた状態で、プレス手段１４によって成形用スタンパ１０を被成形体１２に押圧することによって、被成形体１２を成形することができる。
【００４２】
本実施の形態の成形装置１１によれば、温度制御手段１５によって成形用スタンパ１０の温度が検出され、検出された温度に応じて発熱抵抗体２０に供給する供給電力、具体的には印加する電圧を調整する。成形装置１毎または成形品のロッドを成形する毎に成形用スタンパ１０の温度にばらつきがある場合、各成形品の寸法にばらつきが生じ、加工精度のよい成形品が得られない。成形用スタンパ１０の温度に応じて供給電力を調整することができるので、成形装置１毎または成形品のロッドを成形する毎に成形用スタンパ１０の温度がばらつくことを抑制でき、成形品の寸法のばらつきを抑制し、加工精度のよい成形品を成形することができる。
【００４３】
図７は、実施の第２の形態の成形用スタンパ１０Ａを示す斜視図である。成形用スタンパ１０Ａは、実施の第１の形態の成形用スタンパ１０と構成が類似している。したがって成形用スタンパ１０Ａの構成については、実施の第１の形態の成形用スタンパ１０と異なる点についてだけ説明し、同一の構成については同一の符号を付しその説明を省略する。成形用スタンパ１０Ａは、発熱抵抗体２０が基体１９の内部に配設されず、基体１９の凸状部２４に配設されている。本実施の形態では、基体１９の凸状部２４に発熱抵抗体２０を形成する。ただしこのような形状に限定されず、基体１９の凸状部２４にＡ２方向に延びる溝を形成し、その溝に発熱抵抗体２０を形成してもよく、また凸状部２４自体を発熱抵抗体２０で構成してもよい。さらに発熱抵抗体２０の腐蝕防止および耐摩耗性を向上させるために、発熱抵抗体２０に保護膜を形成する。これによって発熱抵抗体２０を凸状部２４に形成しても、腐蝕することおよび損傷することを防止できる。
【００４４】
本実施の形態の成形用スタンパ１０Ａによれば、被成形体１２と接触し成形する凸状部２４に発熱抵抗体２０が設けられているので、被成形体１２に熱が伝達しやすい。これによって熱損失が少なく、従来の技術の成形装置１よりもより小さい電流で被成形体１２の成形が可能である。また凸状部２４に発熱抵抗体２０が設けられているので、被成形体１２を整形する成形部の温度制御が精密に制御することができる。
【００４５】
図８は、実施の第３の形態の成形用スタンパ１０Ｂを備える成形装置１１Ｂを示す正面断面図である。成形用スタンパ１０Ｂおよび成形装置１１Ｂは、成形用スタンパ１０および成形装置１１と構成が類似している。したがって成形用スタンパ１０Ｂおよび成形装置１１Ｂの構成については、成形用スタンパ１０および成形装置１１と異なる点についてだけ説明し、同一の構成については同一の符号を付してその説明を省略する。成形用スタンパ１０Ｂには、起電力発生装置５１が設けられている。起電力発生回路５１は、たとえばループコイルまたは金属製のベタパターンで構成され基体１９の内部に形成される。起電力発生回路５１は、電磁波を受けて起電力を発生する機能を有する。起電力発生回路５１は、発熱抵抗体２０の各端部２０ａ，２０ｂに電気的に接続されている。起電力発生回路５１は、グリーンシート上にループコイル状またはベタパターン状に導体ペーストを付着させた層状体を第１および第２層状体２８，２９に積層し、焼結することによって形成することができる。
【００４６】
成形装置１１は、電磁波発生手段５２をさらに備える。電磁波発生手段５２は、起電力発生回路５１に向かって電磁波を放射する機能を有する。電磁波発生手段５２は、たとえば推奨振動子などの発信回路およびアンテナを含み、発信回路から伝送される信号に基いてアンテナから電磁波を放射するように構成されている。
【００４７】
さらに成形用スタンパ１０には、その凸状部２４上に温度検出手段５３が設けられている。温度検出手段５３は、たとえばアルメルクロメル熱電対または銅コンスタンタン熱電対によって構成される。温度検出手段５３は、成形時における被成形体１２の温度を検出する機能を有する。温度検出手段５３によって検出される温度に基いて、発熱抵抗体２０に印加すべき電圧が制御される。つまり電磁波発生手段５２から放射される電磁波の磁束密度などが決定される。
【００４８】
このように構成される成形装置１１Ｂは、電磁波発生手段５２から電磁波を放射すると、起電力発生回路５１が電磁波を受けて起電力を発生する。発生した起電力が発熱抵抗体２０に供給され、発熱抵抗体２０が発熱する。このような発熱抵抗体２０が発熱している状態で、被成形体１２が成形される。
【００４９】
本実施の形態の成形用スタンパ１０Ｂによれば、基体１９に配設される起電力発生回路５１に向かって電磁波を放射すると、起電力発生回路５１が電磁波を受け起電力を発生する。これによって発熱抵抗体２０に電力が供給され、発熱抵抗体２０が発熱し、基体１９の温度を上昇させることができる。このように起電力発生回路５１を用いることによって、電源と発熱抵抗体２０とを電気的に接続する必要がなく、外部配線を省略することができる。したがって基体１９は、プレス装置１４によってＺ方向に変動するので、外部配線の位置に制約が多いけれども、起電力発生回路５１を用いることによって、このような問題を解決することができる。
【００５０】
本実施の形態の成形装置１１Ｂによれば、電磁波発生手段５２によって起電力発生回路５１に電磁波を放射すると、起電力発生回路５１で起電力が発生し、発熱抵抗体２０に電力が供給される。これによって発熱抵抗体２０が発熱して基体１９の温度を上昇させる。このように基体１９の温度が上昇した状態で、プレス手段１４によって成形用スタンパ１０が被成形体１２を押圧することによって、被成形体１２を成形することができる。
【００５１】
本実施の形態では、成形用スタンパ１０は、セラミックから成るけれども、セラミックに限定されない。たとえばシリコン（Ｓｉ）、炭化珪素（ＳｉＣ）、窒化珪素（ＳｉＮ）、多結晶シリコン、ガラス、などであってもよい。
【００５２】
また本実施の形態では、導体ペーストを塗布することによって発熱抵抗体２０を形成しているけれども、ＣＶＤ法やスパッタリング法等の薄膜形成手法によって発熱抵抗体２０を形成してもよい。
【００５３】
また本実施の形態では、有機グリーンシート３５を用いて、主面部２１の凹凸形状を形成しているけれども、必ずしもこのような方法に限定されない。たとえば第１層状体２７に扁平状のグリーンシートを積層した積層体の表面部を、イットリウム・アルミニウム・ガーネット（Yttrium Aluminum Garnet：略称ＹＡＧ）レーザなどを用いるレーザ加工によって、凹凸状に形成し、その後焼結して成形用スタンパ１０を形成してもよい。また前記積層体を焼結した後に、焼結された積層体の表面部を、ＹＡＧレーザ等を用いるレーザ加工によって凹凸状に形成、成形用スタンパ１０を形成してもよい。
【００５４】
本実施の形態では、成形用スタンパ１０を被成形体１２に押圧しているけれども、被成形体１２にレジストを形成し、そのレジストを成形用スタンパ１０によって成形し、被成形体１２をエッチングして成形してもよい。
【００５５】
本実施の形態では、起電力発生回路５１が基体１９の内部に形成されているけれども、外部に形成されてもよい。
【００５６】
図９は、実施の第４の形態の成形用スタンパ１０Ｃを示す斜視図である。図１０は、図９の切断面線Ｘ−Ｘで切断して見た成形用スタンパ１０Ｃを示す断面図である。図１１は、図１０の切断面線ＸＩ−ＸＩで切断して見た成形用スタンパ１０Ｃを示す断面図である。成形用スタンパ１０Ｃは、成形装置１１Ｃに含まれている。成形装置１１Ｃは、実施の第１の形態の成形用装置１１の構成と類似し、成形用スタンパ１０Ｃは、実施の第１の形態の成形用スタンパ１０と構成が類似している。成形装置１１Ｃおよび成形用スタンパ１０Ｃについては、実施の第１の形態の成形装置１１および成形用スタンパ１０と異なる点についてだけ説明し、同一構成については、同一の符号を付してその説明を省略する。以下では、図１も参照しつつ説明する。
【００５７】
成形用スタンパ１０Ｃは、基体１９と４つの発熱抵抗体６１，６２，６３，６４とを有する。４つの発熱抵抗体６１〜６４は、タングステンとセラミックとの混合材料から成る。４つの発熱抵抗体６１〜６４は、基体１９の内部に配設され、Ａ１方向に垂直な第１仮想平面６５上に形成されている。４つの発熱抵抗体６１〜６４は、基体１９のＡ２方向中央を含みＡ３方向に垂直な第２仮想平面６６と、基体１９のＡ３方向中央を含みＡ２方向に垂直な第３仮想平面６７とによって、分けられる４つの領域である第１〜第４領域６８〜７１にそれぞれ配設されている。Ａ２方向一側面部７３側の領域を第１および第３領域６８，７０とし、Ａ２方向他側面部７４側の領域を第２および第４領域６９，７１とする。以下では、第１領域６８に配設される発熱抵抗体６１を第１発熱抵抗体６１といい、第２領域６９に配設される発熱抵抗体６２を、第２発熱抵抗体６２といい、第３領域７０に配設される発熱抵抗体６３第３発熱抵抗体６３といい、第４領域７１に配設される発熱抵抗体６４を、第４発熱抵抗体６４という場合がある。
【００５８】
さらに詳細に説明すると、各発熱抵抗体６１〜６４は、Ａ３方向に連続パルス波形状に蛇行するように形成されている。第１発熱抵抗体６１と第２発熱抵抗体６２とは、第２仮想平面６６に関して面対称に配設され、第１発熱抵抗体６１と第３発熱抵抗体６３とは、第３仮想平面６７に関して面対称に配設されている。さらに第１発熱抵抗体６１と第４発熱抵抗体６４とは、第２仮想平面６６と第３仮想平面との交線７２に関して点対称に配設されている。ただしこのような配設位置に限定されない。
【００５９】
第１発熱抵抗体６１の両端部６１ａ，６１ｂに第１給電配線８１が、第２発熱抵抗体６２の両端部６２ａ，６２ｂに第２給電配線８２が、第３発熱抵抗体６３の両端部６３ａ，６３ｂに第３給電配線８３が、第４発熱抵抗体６４の両端部６４ａ，６４ｂに第４給電配線８４がそれぞれ配設されている。各給電配線８１〜８４は、給電配線２５の立上り部２５ａと水平部２５ｂと同様の構成を有し、第１および第３給電配線８１，８３は、基体１９のＡ２方向一側面部７３で外方に露出している。第２および第４給電配線８２，８４は、基体１９のＡ２方向他側面部７４で外方に露出している。第１〜第４給電配線８１〜８４は、配線３８を介して、独立して温度制御手段１５Ｃにそれぞれ電気的に接続される。
【００６０】
温度制御手段１５Ｃは、第１〜第４給電配線８１〜８４にそれぞれ独立して電気的に接続され、図示しない電源に電気的に接続されている。温度制御手段１５Ｃは、成形用スタンパ１０Ｃの第１〜第４領域６〜７１の温度を検出し、この検出結果に応じて各発熱抵抗体６１〜６４に印加する電圧を制御し、具体的には、供給する電力を制御し、成形用スタンパ１０Ｃの各領域６８〜７１の温度を制御する機能を有する。本実施の形態では、温度制御手段１５Ｃは、発熱抵抗体６１〜６４がタングステンとセラミックとの混合材料から成るので、各発熱抵抗体６１〜６４のＴＣＲ抵抗温度特性を利用して、各発熱抵抗体６１〜６４に印加される電圧に基いてこれらの温度を演算し、この演算結果に基いて発熱抵抗体６１〜６４に印加する電圧を制御し、成形用スタンパ１０Ｃの温度制御を行っている。
【００６１】
以下では、各領域６８〜７１のうち少なくとも１つの領域で温度下降が生じた場合の温度制御手段１５Ｃの動作について説明する。各領域６８〜７１の少なくともいずれか１つ領域６８〜７１で所定の温度より下降すると、所定の温度より下降している領域６８〜７１に配設されている発熱抵抗体６１〜６４に印加する電圧を上げる。たとえば第１領域６８の温度が下降すると、第１発熱抵抗体６１に印加する電圧を上げる。また第１および第３領域６８，７０の温度が下降すると、第１発熱抵抗体６１および第３発熱抵抗体６３に印加する電圧を上げる。このようにして各発熱抵抗体６１〜６４に印加する電圧を温度制御手段１５が個別に制御することによって、主面部２１のうち温度が下降している一部だけを温度上昇させることができる。これによって主面部２１の一部だけが温度が低いまたは高い状態で成形が行われることを抑制でき、このような状態で成形することに起因する成形不良を抑制できる。
【００６２】
本実施の形態の成形用スタンパ１０Ｃによれば、被成形体１２を成形するための基体１９に４つの発熱抵抗体６１〜６４が配設されている。４つの発熱抵抗体６１〜６４が配設されるので、４つの発熱抵抗体６１〜６４のうち一部を発熱させることによって、基体１９の第１〜第４領域６８〜７１のうち一部だけ温度上昇させることができる。これによって基体１９の第１〜第４領域６８〜７１毎に異なる温度に設定することができる。また基体１９の第１〜第４領域６８〜７１のうち一部だけ温度が下降しても、４つの発熱抵抗体６１〜６４のうち一部を発熱させることによって、第１〜第４領域６８〜７１のうち前記一部を温度上昇させることができる。これによって基体１９全体の温度を均一に維持することが可能になる。
【００６３】
本実施の形態の成形用スタンパ１０Ｃによれば、各発熱抵抗体６１〜６４には、給電配線８１〜８４が電気的に接続されている。これによって各発熱抵抗体６１〜６４に個別に電力を供給することができ、各発熱抵抗体６１〜６４を個別に発熱することができる。
【００６４】
本実施の形態の成形用スタンパ１０Ｃによれば、温度調整手段１５Ｃによって各発熱抵抗体６１〜６４に供給する供給電力を個別に制御することができる。これによって各発熱抵抗体６１〜６４を個別に発熱させることができるので、基体１９を第１〜第４領域６８〜７１毎に温度調整することが実現できる。これによって被成形体１２の形状および温度などに合わせて、基体１９の温度を第１〜第４領域６８〜７１毎に調整することができる。
【００６５】
本実施の形態の成形用スタンパ１０Ｃによれば、第１〜第４発熱抵抗体６１〜６４は、第２仮想面６６および第３仮想面６７に関して面対称または、交線７２に関して線対象に配設されている。これによって各発熱抵抗体６１〜６４に同一の電圧を印加すると、各領域６８〜７１の温度分布が交線７２に関して点対称になり、したがって同一の電圧を各発熱抵抗体６１〜６４に印加することによって、前後左右対称な被成形体１２について、加工精度を良くすることができる。さらに同一仮想平面、具体的には第一仮想平面６５上に形成されているので、各発熱抵抗体６１〜６４に印加する電圧を複雑に制御することなく、主面部２１を均一な温度に維持することができる。
【００６６】
本実施の形態では、４つの発熱抵抗体６１〜６４が第２および第３仮想平面６６，６７に関して面対称に配設されているけれども、必ずしもこのように配設される必要がない。第１仮想平面６５上に複数の発熱抵抗体が形成されていればよい。また第１仮想平面６５上に全ての発熱抵抗体が配設されている必要もなく、異なる仮想平面上に配設されてもよく、複数の発熱抵抗体が互いに重なることなく、かつ電気的に接続されなければよい。
【００６７】
図１２は、実施の第５の形態の成形用スタンパ１０ＤをＡ２方向に垂直な仮想平面で切断して見た正面断面図である。図１３は、図１２の切断面線ＸＩＩＩ−ＸＩＩＩで切断して見た成形用スタンパ１０Ｃを示す平面断面図である。成形用スタンパ１０Ｄは、成形装置１１Ｄに含まれている。成形装置１１Ｄは、成形装置１１Ｂと含まれている成形用スタンパ１０Ｂが異なり、その他の構成については同一である。成形用スタンパ１０Ｄは、実施の第５の形態の成形用スタンパ１０と構成が類似している。成形用スタンパ１０Ｄについては、実施の第４の形態の成形用スタンパ１０Ｃと異なる点についてだけ説明し、同一構成については、同一の符号を付してその説明を省略する。以下では、図１も参照しつつ説明する。
【００６８】
成形用スタンパ１０Ｄは、基体１９と内側発熱抵抗体９１と外側発熱抵抗体９２とを有する。内側および外側発熱抵抗体９１，９２は、タングステンとセラミックとの混合材料から成り、基体１９の内部に形成され、第１仮想平面６５上に形成されている。内側発熱抵抗体９１は、大略的に矩形状の板体であり、基体１９のＡ２およびＡ３方向中間部に配設されている。外側発熱抵抗体９２は、大略的に環状の板体であり、第１仮想平面９２上において、その内側に内側発熱抵抗体９２が配置されるように配設される。さらに具体的には、外側発熱抵抗体９２は、ロ字状に形成され、第１仮想平面６５上において、その外縁と基体１９の外縁との間隔ａ１，ａ２，ａ３，ａ４が等間隔になるように配設されている。
【００６９】
このような構成を有する成形装置１１Ｄは、電磁波発生手段５２によって、内側および外側発熱抵抗９１，９２に向かって電磁波を放射する。内側および外側発熱抵抗体９１，９２は、電磁波発生手段５２から放射される電磁波を受けることによって、起電力を生じ、発熱する。電磁波発生手段５２は、指向性の高いアンテナを有し、このアンテナから各内側および外側発熱抵抗体９１，９２に向かって別々に電磁波を発射可能し、別々に発熱可能に構成されている。
【００７０】
このように構成される成形装置１１Ｄは、実施の第３の構成の成形装置１１Ｂと同様の効果を奏する。また成形用スタンパ１０Ｄは、実施の第４の形態の成形用スタンパ１０Ｃと同様の効果を奏する。また本実施の形態の成形用スタンパ１０Ｄによれば、中央部に矩形状の内側発熱抵抗体９１が配設され、外側発熱抵抗体９２が、その間隔ａ１，ａ２，ａ３，ａ４が等間隔になるように配設されているので、主面部２１について均一な温度を得ることができる。
【００７１】
図１４は、実施の第６の形態の成形用スタンパ１０Ｅを示す斜視図である。図１５は、図１４の切断面線ＸＶ−ＸＶで切断して見た成形用スタンパ１０Ｅを示す断面図である。図１６は、図１５の切断面線ＸＶＩ−ＸＶＩで切断して見た断面図である。図１７は、図１５の切断面線ＸＶＩＩ−ＸＶＩＩで切断して見た断面図である。実施の第６の形態の成形用スタンパ１０Ｅは、実施の第４の形態の成形用スタンパ１０Ｃと構成が類似している。実施の第６の形態の成形用スタンパ１０Ｅについては、実施の第４の形態の成形用スタンパ１０Ｃと異なる点についてだけ説明し、同一の構成については同一の符号付してその説明を省略する。成形装置１１Ｅは、実施の第４の形態の成形装置１１Ｃの成形用スタンパ１０Ｃが異なり、それ以外の構成は同一である。成形装置１１Ｅは、成形用スタンパ１１Ｅを含む。成形用スタンパ１０Ｅは、成形用スタンパ１０Ｃの構成に、さらに４つの発熱抵抗体８５，８６，８７，８８を有する。
【００７２】
４つの発熱抵抗体８５〜８８は、第４仮想平面９９上に配設されている。第４仮想平面９９は、第１仮想平面６５に平行であって、かつ第１仮想平面６５より主面部２１側にある仮想平面である。各発熱抵抗体８５〜８８は、第４仮想平面９９上の各領域６８〜７１にそれぞれ配設される。以下では、第４仮想平面９９上に配設される各発熱抵抗体８５〜８８について、第１領域６８に配設される発熱抵抗体８５を第５発熱抵抗体８５といい、第２領域６９に配設される発熱抵抗体８６を、第６発熱抵抗体８６といい、第３領域７０に配設される発熱抵抗体８７を第７発熱抵抗体８７といい、第４領域７１に配設される発熱抵抗体８８を、第８発熱抵抗体８８という場合がある。第５〜第８発熱抵抗体８５〜８８は、第１〜第４発熱抵抗体６１〜６４と同様にＡ３方向に連続パルス状に蛇行するように形成されている。
【００７３】
さらに具体的には、第５発熱抵抗体８５と第６発熱抵抗体８６とは、第２仮想平面６６に関して面対称に配設され、第５発熱抵抗体８５と第７発熱抵抗体８７とは、第３仮想平面６７に関して面対称に配設されている。第５発熱抵抗体８５と第８発熱抵抗体８８とは、交線７２に関して点対称に配設されている。このように配設される第５〜第８発熱抵抗体８５〜８８は、第１仮想平面６５に投影すると、第１〜第４発熱抵抗体６１〜６４に一致するように配設されている。ただしこのように配設されていることに限定するものではなく、第一仮想平面６５に投影しても、第１〜第４発熱抵抗体６１〜６４に一致しなくてもよい。
【００７４】
第５発熱抵抗体８５の両端部８５ａ，８５ｂには、第５給電配線９５が、第６発熱抵抗体８６の両端部８６ａ，８６ｂに第６給電配線９６が、第７発熱抵抗体８７の両端部８７ａ，８７ｂに第７給電配線９７が、第８発熱抵抗体８８の両端部８８ａ，８８ｂに第８給電配線９８がそれぞれ配設されている。さらに第５および第７給電配線９５，９７は、基体１９のＡ２方向一側面部７３で外方に露出している。第６および第８給電配線９６，９８は、基体１９のＡ２方向他側面部７４で外方に露出している。第５〜第８給電配線９５〜９８は、配線３８を介して、独立的に温度制御手段１５Ｃにそれぞれ電気的に接続される。
【００７５】
このようにして構成される成形装置１１Ｅは、各発熱抵抗体６１〜６４，８５〜８８にそれぞれ印加する電圧、具体的にはそれぞれ供給する電力を独立して制御することができる。各発熱抵抗体６１〜６４，８５〜８８に供給する電力を制御することによって、各領域６８〜７１の温度を調節することができる。このように構成される成形装置１１Ｅは、実施の第４の形態の成形装置１１Ｃと同様の効果を奏する。また成形用スタンパ１０Ｅは、実施の第４の形態の成形用スタンパ１０Ｃと同様の効果を奏する。
【００７６】
さらに各領域６８〜７１にＡ１方向に離反する２つの発熱抵抗体６１〜６４，８５〜８８が形成されている。したがってたとえば、第１領域６８に配設される第１発熱抵抗体６１および第５発熱抵抗体８５のうち第１発熱抵抗体６１または第５発熱抵抗体８５に供給される電力の供給および停止を制御するだけで、第１領域６８の温度を制御することができる。また第１発熱抵抗体６１と第５発熱抵抗体８５との主面部２１との距離が異なるので、第１発熱抵抗体６１だけに電力が供給される場合と、第５発熱抵抗体８５に電力が供給されたときの主面部２１の温度が異なる。このように温度制御手段１５Ｃによって供給する発熱抵抗体を第１発熱抵抗体６１または第５発熱抵抗体８５に変えることによって、主面部２１の温度を制御が可能である。２層に分けて発熱抵抗体６１〜６４，８５〜８８を配設することによって、このような効果を奏する。
【図面の簡単な説明】
【００７７】
【図１】実施の第１の形態の成形用スタンパ１０を含む成形装置１１を示す正面断面図である。
【図２】成形用スタンパ１０を示す斜視図である。
【図３】図２の切断面線ＩＩＩ−ＩＩＩで切断して見た成形用スタンパ１０を示す断面図である。
【図４】図３の切断面線ＩＶ−ＩＶで切断して見た成形用スタンパ１０を示す断面図である。
【図５Ａ】成形用スタンパ１０を形成する手順を示す図である。
【図５Ｂ】成形用スタンパ１０を形成する手順を示す図である。
【図５Ｃ】成形用スタンパ１０を形成する手順を示す図である。
【図６】成形装置１１を用いて被成形体１２を成形する手順を示す図である。
【図７】実施の第２の形態の成形用スタンパ１０Ａを示す斜視図である。
【図８】実施の第３の形態の成形用スタンパ１０Ｂを備える成形装置１１Ｂを示す正面断面図である。
【図９】実施の第４の形態の成形用スタンパ１０Ｃを示す斜視図である。
【図１０】図９の切断面線Ｘ−Ｘで切断して見た成形用スタンパ１０Ｃを示す断面図である。
【図１１】図１０の切断面線ＸＩ−ＸＩで切断して見た成形用スタンパ１０Ｃを示す断面図である。
【図１２】実施の第５の形態の成形用スタンパ１０ＤをＡ２方向に垂直な仮想平面で切断して見た正面断面図である。
【図１３】図１２の切断面線ＸＩＩＩ−ＸＩＩＩで切断して見た成形用スタンパ１０Ｃを示す平面断面図である。
【図１４】実施の第６の形態の成形用スタンパ１０Ｅを示す斜視図である。
【図１５】図１４の切断面線ＸＶ−ＸＶで切断して見た成形用スタンパ１０Ｅを示す断面図である。
【図１６】図１５の切断面線ＸＶＩ−ＸＶＩで切断して見た断面図である。
【図１７】図１５の切断面線ＸＶＩＩ−ＸＶＩＩで切断して見た断面図である。
【図１８】従来の技術の成形装置１を示す正面断面図である。
【符号の説明】
【００７８】
１０  成形用スタンパ
１１  成形装置
１２  被成形体
１４  プレス手段
１５Ｃ  温度制御手段
１９  基体
２１  主面部
２４  凸状部
６１  第１発熱抵抗体
６２  第２発熱抵抗体
６３  第３発熱抵抗体
６４  第４発熱抵抗体
８１  第１給電配線
８２  第２給電配線
８３  第３給電配線
８４  第４給電配線
【図１】
2008062485.tif 000003
【図２】
2008062485.tif 000004
【図３】
2008062485.tif 000005
【図４】
2008062485.tif 000006
【図５Ａ】
2008062485.tif 000007
【図５Ｂ】
2008062485.tif 000008
【図５Ｃ】
2008062485.tif 000009
【図６】
2008062485.tif 000010
【図７】
2008062485.tif 000011
【図８】
2008062485.tif 000012
【図９】
2008062485.tif 000013
【図１０】
2008062485.tif 000014
【図１１】
2008062485.tif 000015
【図１２】
2008062485.tif 000016
【図１３】
2008062485.tif 000017
【図１４】
2008062485.tif 000018
【図１５】
2008062485.tif 000019
【図１６】
2008062485.tif 000020
【図１７】
2008062485.tif 000021
【図１８】
2008062485.tif 000022